(57)【要約】      （修正有）【課題】設置及び定位を便利にして、作業効率を向上させるクランプ装置を提供する。【解決手段】クランプアーム１１と、クランプアーム１１の一端と連接するようにほぼ直交するレール１２を有する固定部材１０と、互いに遠く離れ、第１端２１及び第２端２２を有し、第１端２１がレールに移動可能に設けられており、クランプアーム１１との距離を調整できるスライドアーム２０と、スライドアーム２０の第２端２２に移動可能に設けられており、クランプアーム１１に向く緊迫端を有し、緊迫端が第２端２２で変位することにより、クランプアーム１１との間に締付け物を挟むことが可能である挟み部材３０と、スライドアーム２０の第１端２１に設けられており、第２端２２が常態的にクランプアーム１１から離れる方向にずれ、クランプアーム１１のレール１２から遠く離れた一端と第２端２２との間で形成される開口１４が開かれる状態を維持する押付部材４０を備える。【選択図】図２
0003221349.tif 000002
【実用新案登録請求の範囲】
【請求項１】
固定部材と、スライドアームと、挟み部材と、押付部材を有する設置及び定位に便利なクランプ装置であって、
前記固定部材は、クランプアームと前記クランプアームの一端と連接するようにほぼ直交するレールを有し、
前記スライドアームは、互いに遠く離れた第１端と第２端を備えて、前記第１端が移動可能に前記レールに設けられて前記レールを摺動して前記クランプアームとの間隔を調整でき、
前記挟み部材は、移動可能に前記スライドアームの前記第２端に設けられ、前記クランプアームに向く緊迫端を備え、前記緊迫端が前記挟み部材に従って前記第２端で変位することにより、前記クランプアームと組み合わせて締付け物を挟み、
前記押付部材は、前記スライドアームの前記第１端に設けられており、前記レールに押し付けると反力が発生し、
前記スライドアームは、前記レールをスライドして選ばれた位置に移動した後、反力により前記第１端が支えられて前記レールに一時的に定位され、前記第２端が常態的に前記クランプアームから離れる方向にずれ、前記クランプアームが前記レールから遠く離れた一端と前記第２端との間で形成される開口が開かれた状態を維持し、前記第２端の垂れにより縮小することがないことを特徴とする、
設置及び定位に便利なクランプ装置。
【請求項２】
前記第１端で、前記押付部材が、前記スライドアームの前記クランプアームに向く側に設けられていることを特徴とする、請求項１に記載の設置及び定位に便利なクランプ装置。
【請求項３】
前記押付部材は、一体に曲げられた板ばねであり、固定部と、連結部と、押付部と、を備え、前記固定部は前記スライドアームに固定されており、前記連結部は、前記固定部から前記クランプアームへ伸び、前記連結部の末端には、前記レールを押し付ける前記押付部が設けられていることを特徴とする、請求項２に記載の設置及び定位に便利なクランプ装置。
【請求項４】
前記スライドアームの前記第１端に案内穴が設けられており、前記案内穴の内輪郭は、前記レールの外輪郭に対応し、前記レールは前記スライドアームの前記案内穴に差し込まれており、これにより、前記スライドアームは前記レールを任意にスライドすることが可能であることを特徴とする、請求項２に記載の設置及び定位に便利なクランプ装置。
【請求項５】
前記案内穴の内輪郭は長穴形を呈し、前記レールの外輪郭は、前記案内穴の内輪郭に対応して長方形を呈し、二つの長辺と、二つの短辺と、を備え、前記押付部は前記レールの前記短辺の一つを押し付けることを特徴とする、請求項４に記載の設置及び定位に便利なクランプ装置。
【請求項６】
前記押付部に押し付けられる前記短辺は、前記レールの長手方向に沿う溝を有し、前記押付部は、前記溝に跨り、前記溝の両側を押し付けることを特徴とする、請求項５に記載の設置及び定位に便利なクランプ装置。
【請求項７】
前記レールの前記クランプアームから遠く離れた一端には、前記レールから突出する止め部が設けられており、前記止め部により、前記スライドアームの前記第１端が止められて前記レールから離脱することができないことを特徴とする、請求項４に記載の設置及び定位に便利なクランプ装置。
【請求項８】
前記クランプアームは、断面の幅が、前記スライドアームに近接する側から、前記スライドアームから遠く離れた側へ、徐々に広くなり、ほぼ台形を呈することを特徴とする、請求項１に記載の設置及び定位に便利なクランプ装置。
【請求項９】
前記挟み部材はねじ軸を有し、前記ねじ軸の一端にはハンドルが設けられており、前記ねじ軸の前記ハンドルから遠く離れた一端には緊迫端が設けられており、前記スライドアームの前記第２端にねじ穴が設けられており、前記ねじ軸は前記ねじ穴に螺着されており、前記ハンドルにより前記ねじ軸を回転すると、前記緊迫端が前記第２端で前記クランプアームに近接して締付け物を挟み、又は前記クランプアームから離れて締付け物を放すことを特徴とする、請求項１に記載の設置及び定位に便利なクランプ装置。
【請求項１０】
前記緊迫端は、前記ねじ軸の前記ハンドルから遠く離れた一端に設けられているエンドキャップであり、前記エンドキャップは、前記ねじ軸の一端と回転自在に接続することを特徴とする、請求項９に記載の設置及び定位に便利なクランプ装置。
【考案の詳細な説明】
【技術分野】
【０００１】
本考案は、クランプに関し、特に、設置及び定位に便利なクランプ装置に関するものである。
【背景技術】
【０００２】
従来のクランプは、本体と、スライド部材と、挟み部材と、を備える。前記本体は、固定部と、レールと、を有する。前記スライド部材の一端は、移動可能に前記レールに設けられている。前記挟み部材は、前記スライド部材の他端に設けられている。前記挟み部材は、前記本体の前記固定部と組み合わせて挟むことが可能な挟み板を有する。前記スライド部材と前記レールとの間には隙間が存在するため、スライドすることが可能である。
前記スライド部材は、前記レールで選ばれた位置にスライドすると、自重により、前記レールから遠く離れた一端に垂れて、前記スライド部材と前記レールとが係止されて位置決められる。前記スライド部材を前記レールで再びスライドさせようとする場合、前記スライド部材をやや持ち上げると係止が解除されて、前記スライド部材の前記レールをスライドする位置を調整することが可能である。
しかし、前記スライド部材は、自重により一端が垂れるため、前記レールでの選ばれた位置に係止することが可能であるが、前記スライド部材を不意に持ち上げると、係止が解除されて、前記レールで再度スライドし選ばれた位置から離れる。このとき、ユーザーは、前記スライド部材の位置を再度調整する必要があり、クランプの使用が不便であった。
【０００３】
上記の問題を解決するために、台湾実用新案Ｍ４５６８８６号には、位置決め機能付きクランプが開示されている。このようなクランプは、スライド部材とレールとの間に位置決め装置が設けられる。前記位置決め装置は、位置決め部材と、ネジと、バネと、を備える。前記位置決め部材がバネに付勢されて前記レールに押付けることにより、前記スライド部材は前記レールで有効に位置決められる。
前記位置決め装置が設けられることにより、前記スライド部材は、レールでの選ばれた位置に位置決めることが可能であり、前記スライド部材が外力を受けて下方にスライドすることはないが、前記クランプは、前記スライド部材が上にあり、本体の固定部が下にある場合には、前記スライド部材が自重により一端が垂れて、前記スライド部材が前記本体の前記固定部へ傾斜して位置決めることができない。このため、締付け物を挟む前に、前記スライド部材をやや持ち上げて、前記スライド部材の下方に締付け物を置いた後、締付け物を挟んで位置決める必要がある。
また、前記スライド部材の締付け物に対する挟みを解除して、前記スライド部材の下方から締付け物を取り外すと、前記スライド部材は、締付け物による支持が無くなるため、再度垂れて傾斜する。これにより、開口の幅を常態的に保つことができないため、前記スライド部材を持ち上げることを繰り返さなければならない。このため、設置及び挟みは不便になり、作業効率が下がるという問題があった。
【先行技術文献】
【特許文献】
【０００４】
【特許文献１】台湾実用新案Ｍ４５６８８６号公報
【考案の概要】
【考案が解決しようとする課題】
【０００５】
本考案の主な目的は、スライドアームの第１端が固定部材のレールに移動可能に設けられていることにより、スライドアームとクランプアームとの間の距離を調整することが可能であり、押付部材がレールに押付けて、スライドアームが上げられてレールで一時的に定位され、挟み部材を変位することにより、その緊迫端がクランプアームと組み合わせて締付け物を挟むクランプを提供することにある。
【課題を解決するための手段】
【０００６】
本考案のクランプによると、設置及び定位に便利なクランプ装置は、固定部材と、スライドアームと、挟み部材と、押付部材を有する。
固定部材は、クランプアームとクランプアームの一端を連接するようにほぼ直交するレールを有する。
スライドアームは、互いに遠く離れた第１端と第２端を備えて、第１端が移動可能にレールに設けられてレールを摺動してクランプアームとの間隔を調整できる。
挟み部材は、移動可能にスライドアームの第２端に設けられ、クランプアームに向く緊迫端を備え、緊迫端が挟み部材に従って第２端で変位することにより、クランプアームと組み合わせて締付け物を挟む。
押付部材は、スライドアームの第１端に設けられており、レールに押し付けると反力が発生し、スライドアームは、レールをスライドして選ばれた位置に移動した後、反力により第１端が支えられてレールに一時的に定位され、第２端が常態的にクランプアームから離れる方向にずれ、クランプアームがレールから遠く離れた一端と第２端との間で形成される開口は、開かれる状態を維持し、第２端の垂れにより縮小することがない。
【０００７】
本考案のクランプによると、第１端で、押付部材は、スライドアームのクランプアームに向く側に設けられている。
【０００８】
本考案のクランプによると、押付部材は、一体に曲げられた板ばねであり、固定部と、連結部と、押付部と、を備え、固定部はスライドアームに固定されており、連結部は、固定部からクランプアームへ伸び、連結部の末端には、レールに押し付ける押付部が設けられている。
【０００９】
本考案のクランプによると、スライドアームの第１端に案内穴が設けられており、案内穴の内輪郭は、レールの外輪郭に対応し、レールはスライドアームの案内穴に差し込まれており、これにより、スライドアームはレールを任意にスライドすることが可能である。
【００１０】
本考案のクランプによると、案内穴の内輪郭は長穴形を呈し、レールの外輪郭は、案内穴の内輪郭に対応して長方形を呈し、二つの長辺と、二つの短辺と、を備え、押付部はレールの短辺の一つを押し付ける。
【００１１】
本考案のクランプによると、押付部に押し付けられる短辺は、レールの長手方向に沿う溝を有し、押付部は、溝を跨り、溝の両側を押し付ける。
【００１２】
本考案のクランプによると、レールのクランプアームから遠く離れた一端には、レールから突出する止め部が設けられており、止め部により、スライドアームの第１端が止められてレールから離脱することができない。
【００１３】
本考案のクランプによると、クランプアームは、断面の幅が、スライドアームに近接する側から、スライドアームから遠く離れた側へ、徐々に広くなり、ほぼ台形を呈する。
【００１４】
本考案のクランプによると、挟み部材はねじ軸を有し、ねじ軸の一端にハンドルが設けられており、ねじ軸のハンドルから遠く離れた一端に緊迫端が設けられており、スライドアームの第２端にねじ穴が設けられており、ねじ軸はねじ穴に螺着されており、ハンドルによりねじ軸を回転すると、緊迫端が第２端でクランプアームに近接して締付け物を挟み、又はクランプアームから離れて締付け物を放す。
【００１５】
本考案のクランプによると、緊迫端は、ねじ軸のハンドルから遠く離れた一端に設けられているエンドキャップであり、エンドキャップは、ねじ軸の一端とユニバーサル接続する。
【考案の効果】
【００１６】
本考案の設置及び定位に便利なクランプ装置によれば、スライドアームが上にあり、クランプアームが下にある場合に、レールに設けられているスライドアームは、押付部材がレールに押付けることによる反力を受けるため、レールで任意に選ばれた位置にスライドすると、反力により支持されることで、レールで一時的に位置決められることが可能である、また、反力によりスライドアームが上げられるため、第２端が常態的にクランプアームから離れる方向にずれて、スライドアームは、自重により一端が垂れることがない。このため、スライドアームは、クランプアームへ傾斜せずに位置決めることが可能であることにより、クランプアームとスライドアームとの間で形成される開口は、開いた状態を維持することが可能である。これによって、スライドアームの下方から、挟まれる締付け物が取り外された後、スライドアームを持ち上げず、スライドアームの下方に別の締付け物を入れることができるため、締付け物の挟みを便利にすることができ、作業効率を向上させる。
【図面の簡単な説明】
【００１７】
【図１】本考案に係るクランプを示す斜視図である。
【図２】本考案に係るクランプを示す側面図である。
【図３】図２の一部を示す拡大図である。
【図４】本考案に係るクランプによって締付け物を挟んで位置決める状態を示す図であって、クランプアームが溝に差し込まれている。
【図５】図４におけるクランプアームが溝に差し込まれて位置決められる状態を示す断面図である。
【考案を実施するための形態】
【００１８】
以下、本考案の実施の形態を図面に基づいて説明する。本考案の実施形態の図面における各部材の比率は、説明を容易に理解するために示されるものであり、実際の比率ではない。
【００１９】
図１から図５を参照する。本考案の設置及び定位に便利なクランプ装置は、固定部材１０と、スライドアーム２０と、挟み部材３０と、押付部材４０と、を備え、締付け物Ａを挟むことが可能である。
【００２０】
固定部材１０は、図１及び図２に示すように、クランプアーム１１と、レール１２と、を有する。レール１２は、クランプアーム１１とほぼ直交するように、クランプアーム１１の一端に連接されている。本実施の形態では、レール１２は、クランプアーム１１から遠く離れた一端に止め部１３が設けられており、止め部１３がレール１２から突出する。
【００２１】
スライドアーム２０は、図１及び図２に示すように、第１端２１と、第２端２２と、を有する。第１端２１と第２端２２は、互いに遠く離れた両端にそれぞれ位置する。スライドアーム２０の第１端２１は、レール１２に移動可能に設けられている。固定部材１０にはスライドアーム２０が設けられており、これらがほぼＦ字形を呈する。クランプアーム１１とスライドアーム２０との間には開口１４が形成される。
スライドアーム２０は、レール１２の長さの範囲内で任意にスライドすることができ、これにより、スライドアーム２０とクランプアーム１１との間の距離を調整することが可能である。また、クランプアーム１１の断面の幅は、図４及び図５に示すように、スライドアーム２０に近接する側から、スライドアーム２０から遠く離れた側へ、徐々に広くなり、ほぼ台形を呈する。台形を呈するクランプアーム１１は、それに対応して台形を呈する差込溝５０に差し込まれている。これにより、締付け物Ａを挟もうとする場合には、台形を呈するクランプアーム１１を、台形を呈する差込溝５０に差し込んで、ロックして位置決める。
【００２２】
図１及び図２に示すように、スライドアーム２０の第１端２１には案内穴２３が設けられている。案内穴２３の内輪郭は、レール１２の外輪郭に対応する。スライドアーム２０の案内穴２３にレール１２が差し込まれ、これにより、スライドアーム２０はレール１２を任意にスライドすることが可能であり、且つ止め部１３により、スライドアーム２０の第１端２１が止められてレール１２から離脱することはできない。
案内穴２３の内輪郭は長穴形を呈し、レール１２の外輪郭はそれに対応して長方形を呈する形態が好ましい。なお、レール１２は、二つの長辺１２１と、二つの短辺１２２と、を有する。本実施の形態では、レール１２の長辺１２１と短辺１２２とには、レール１２の長手方向に沿う溝１２３が設けられている。
【００２３】
挟み部材３０は、図１、図２及び図４に示すように、スライドアーム２０の第２端２２に移動可能に設けられており、緊迫端を有する。前記緊迫端は、クランプアーム１１に向き、挟み部材３０と共に第２端２２で変位することが可能である。これにより、クランプアーム１１と組み合わせて締付け物Ａを挟むことが可能である。
本実施の形態では、挟み部材３０がねじ軸３１を有する。挟み部材３０のねじ軸３１の一端にはハンドル３２が設けられている。ねじ軸３１のハンドル３２から遠く離れた一端には緊迫端が設けられている。本実施の形態では、前記緊迫端は、ねじ軸３１のハンドル３２から遠く離れた一端に設けられているエンドキャップ３３であり、エンドキャップ３３が、ねじ軸３１の一端にユニバーサル接続されている。これにより、エンドキャップ３３は、ねじ軸３１の一端で任意に回転することができる。
スライドアーム２０の第２端２２にはねじ穴２４が設けられている。ねじ軸３１はねじ穴２４に螺着されている。ハンドル３２によりねじ軸３１を回転すると、エンドキャップ３３が第２端２２でクランプアーム１１に近接して締付け物Ａを挟み、又はエンドキャップ３３が第２端２２でクランプアーム１１から離れて締付け物Ａを放す。
【００２４】
押付部材４０は、図１から図３に示すように、スライドアーム２０の第１端２１に設けられている。押付部材４０はレール１２に押付けて反力Ｆを発生する。反力Ｆはスライドアーム２０の第１端２１に加わる。スライドアーム２０は、レール１２をスライドして選ばれた位置に着いた後、図３に示すように、反力Ｆにより第１端２１が支えられてレール１２に一時的に位置決められる。反力Ｆにより、第２端２２が常態的にクランプアーム１１から離れる方向にずれる。これにより、スライドアーム２０はクランプアーム１１へ傾斜しない。すなわち、スライドアーム２０の第２端２２は、クランプアーム１１のレール１２から遠く離れた一端へ傾斜しない。
本実施の形態に係る押付部材４０の第１端２１は、スライドアーム２０のクランプアーム１１に向く側に設けられている。本実施の形態に係る押付部材４０は、一体に曲げられた板ばねであり、固定部４１と、連結部４２と、押付部４３と、を備える。ネジ４４により、固定部４１はスライドアーム２０に固定されている。連結部４２は、固定部４１からクランプアーム１１へ伸び、その末端に押付部４３が設けられており、押付部４３がレール１２の短辺１２２に押し付ける。押付部４３に押し付けられる短辺１２２に溝１２３が設けられている。押付部４３は、図１に示すように、溝１２３に跨り、短辺１２２の溝１２３の両側を押し付ける。
【００２５】
クランプは、スライドアーム２０が上にあり、クランプアーム１１が下にある時、ユーザーは、スライドアーム２０をレール１２に対して上に移動して、図４及び図５に示すように、台形を呈する差込溝に、台形を呈するクランプアーム１１を差し込んでロックすると、締付け物Ａを挟むことが可能である。
スライドアーム２０とレール１２との間に、挟もうとする締付け物Ａを入れた後、スライドアーム２０をレール１２に対して下方へ移動することにより、挟み部材３０のエンドキャップ３３が締付け物Ａに近接し、ユーザーはハンドル３２を握ってねじ軸３１を回転することにより、エンドキャップ３３をクランプアーム１１と組み合させて締付け物Ａを挟むと、締付け物Ａを加工することが可能である。加工を終了した後、ユーザーは、ハンドル３２を握ってねじ軸３１を反時計方向へ回転することにより、エンドキャップ３３がクランプアーム１１から離れて締付け物Ａを放すことが可能である。
【００２６】
本考案による設置及び定位に便利なクランプ装置は、以下のような長所を持つ。
レール１２にスライドアーム２０を設ける時、スライドアーム２０は、押付部材４０がレール１２に押し付けて発生する反力Ｆを受けるため、レール１２をスライドして任意に選ばれた位置に着くと、図２及び図３に示すように、反力Ｆにより、レール１２に一時的に位置決めることが可能であり、スライドアーム２０の自重により、第２端２２が垂れてレール１２と係止して位置決められることがない。反力Ｆにより、スライドアーム２０の第２端２２は常態的にクランプアーム１１から離れる方向へずれる。これにより、スライドアーム２０は、レール１２に挟み部材３０を設けても、第２端２２が自重により垂れることがない。そのため、スライドアーム２０はクランプアーム１１へ傾斜せず、スライドアーム２０がスライドせずに位置決められることが可能である。
クランプアーム１１とスライドアーム２０との間で形成される開口１４は開いた状態を維持することが可能である。すなわち、スライドアーム２０は、垂れてクランプアーム１１のレール１２から遠く離れた一端との間で形成される開口１４が縮小することはなく、開口１４の幅を保つことが可能である。スライドアーム２０の下方から、挟まれた締付け物Ａを取り除いた後、スライドアーム２０又は挟み部材３０を再び調整する必要はない。こうしてスライドアーム２０の下方に別の締付け物Ａを入れることができ、作業時に締付け物Ａの挟みを便利にし、作業効率が上がる。
【００２７】
前述した本考案の実施形態は、説明するためのものであり、本考案を限定するものではない。本考案の要旨及び実用新案登録請求の範囲を逸脱することなく、ここで開示された実施例により変更、追加、又は削除して施すことができる。よって、本考案により保護される範囲は実用新案登録請求の範囲を基準とする。
【符号の説明】
【００２８】
１０  固定部材
１１  クランプアーム
１２  レール
１２１  長辺
１２２  短辺
１２３  溝
１３  止め部
１４  開口
２０  スライドアーム
２１  第１端
２２  第２端
２３  案内穴
２４  ねじ穴
３０  挟み部材
３１  ねじ軸
３２  ハンドル
３３  エンドキャップ
４０  押付部材
４１  固定部
４２  連結部
４３  押付部
４４  ネジ
５０  差込溝
Ａ  締付け物
Ｆ  反力
【図１】
0003221349.tif 000003
【図２】
0003221349.tif 000004
【図３】
0003221349.tif 000005
【図４】
0003221349.tif 000006
【図５】
0003221349.tif 000007
【手続補正書】
【提出日】平成31年3月12日(2019.3.12)
【手続補正１】
【補正対象書類名】実用新案登録請求の範囲
【補正対象項目名】全文
【補正方法】変更
【補正の内容】
【実用新案登録請求の範囲】
【請求項１】
固定部材と、スライドアームと、挟み部材と、押付部材を有する設置及び定位に便利なクランプ装置であって、
前記固定部材は、クランプアームと前記クランプアームの一端と連接するようにほぼ直交するレールを有し、
前記スライドアームは、互いに遠く離れた第１端と第２端を備えて、前記第１端が移動可能に前記レールに設けられて前記レールを摺動して前記クランプアームとの間隔を調整でき、
前記挟み部材は、移動可能に前記スライドアームの前記第２端に設けられ、前記クランプアームに向く緊迫端を備え、前記緊迫端が前記挟み部材に従って前記第２端で変位することにより、前記クランプアームと組み合わせて締付け物を挟み、
前記押付部材は、前記スライドアームの前記第１端に設けられており、前記レールに押し付けると反力が発生し、
前記スライドアームは、前記レールをスライドして選ばれた位置に移動した後、反力により前記第１端が支えられて前記レールに一時的に定位され、前記第２端が常態的に前記クランプアームから離れる方向にずれ、前記クランプアームが前記レールから遠く離れた一端と前記第２端との間で形成される開口が開かれた状態を維持し、前記第２端の垂れにより縮小することがないことを特徴とする、
設置及び定位に便利なクランプ装置。
【請求項２】
前記第１端で、前記押付部材が、前記スライドアームの前記クランプアームに向く側に設けられていることを特徴とする、請求項１に記載の設置及び定位に便利なクランプ装置。
【請求項３】
前記押付部材は、一体に曲げられた板ばねであり、固定部と、連結部と、押付部と、を備え、前記固定部は前記スライドアームに固定されており、前記連結部は、前記固定部から前記クランプアームへ伸び、前記連結部の末端には、前記レールを押し付ける前記押付部が設けられていることを特徴とする、請求項２に記載の設置及び定位に便利なクランプ装置。
【請求項４】
前記スライドアームの前記第１端に案内穴が設けられており、前記案内穴の内輪郭は、前記レールの外輪郭に対応し、前記レールは前記スライドアームの前記案内穴に差し込まれており、これにより、前記スライドアームは前記レールを任意にスライドすることが可能であることを特徴とする、請求項３に記載の設置及び定位に便利なクランプ装置。
【請求項５】
前記案内穴の内輪郭は長穴形を呈し、前記レールの外輪郭は、前記案内穴の内輪郭に対応して長方形を呈し、二つの長辺と、二つの短辺と、を備え、前記押付部は前記レールの前記短辺の一つを押し付けることを特徴とする、請求項４に記載の設置及び定位に便利なクランプ装置。
【請求項６】
前記押付部に押し付けられる前記短辺は、前記レールの長手方向に沿う溝を有し、前記押付部は、前記溝に跨り、前記溝の両側を押し付けることを特徴とする、請求項５に記載の設置及び定位に便利なクランプ装置。
【請求項７】
前記レールの前記クランプアームから遠く離れた一端には、前記レールから突出する止め部が設けられており、前記止め部により、前記スライドアームの前記第１端が止められて前記レールから離脱することができないことを特徴とする、請求項４に記載の設置及び定位に便利なクランプ装置。
【請求項８】
前記クランプアームは、断面の幅が、前記スライドアームに近接する側から、前記スライドアームから遠く離れた側へ、徐々に広くなり、ほぼ台形を呈することを特徴とする、請求項１に記載の設置及び定位に便利なクランプ装置。
【請求項９】
前記挟み部材はねじ軸を有し、前記ねじ軸の一端にはハンドルが設けられており、前記ねじ軸の前記ハンドルから遠く離れた一端には緊迫端が設けられており、前記スライドアームの前記第２端にねじ穴が設けられており、前記ねじ軸は前記ねじ穴に螺着されており、前記ハンドルにより前記ねじ軸を回転すると、前記緊迫端が前記第２端で前記クランプアームに近接して締付け物を挟み、又は前記クランプアームから離れて締付け物を放すことを特徴とする、請求項１に記載の設置及び定位に便利なクランプ装置。
【請求項１０】
前記緊迫端は、前記ねじ軸の前記ハンドルから遠く離れた一端に設けられているエンドキャップであり、前記エンドキャップは、前記ねじ軸の一端と回転自在に接続することを特徴とする、請求項９に記載の設置及び定位に便利なクランプ装置。